(57)【要約】    【課題】  暖かい飲料が充填された缶やペットボトルといった飲料用容器を手に持った際に、熱く感じることを防止することが可能な飲料用容器の防熱具及び充填された暖かい飲料が冷めたりあるいは冷たい飲料が暖まってしまうことを可及的に遅らせることが可能な保温具を提供すること。    【解決手段】  飲料用容器の周壁に環状その他の形状の防熱及び保温具を設けた。また飲料用容器の周壁にたすきがけ状その他の形状の防熱具を設けた。また、折り曲げ自在、且つ、回転自在な把手形状の防熱具を設けた。    【選択図】  図１
0003104801.tif 000002
【実用新案登録請求の範囲】
【請求項１】
飲料用容器の周壁に設けた断熱性部材で形成した環状の飲料用容器の防熱及び保温具。
【請求項２】
飲料用容器に対して着脱自在とした請求項１記載の飲料用容器の防熱及び保温具。
【請求項３】
側壁部の長さに長部と短部とを設けたことを特徴とする請求項１又は２記載の飲料容器の防熱及び保温具。
【請求項４】
表面に凹凸部を設けることで滑り止め効果を付加した請求項１乃至３記載の防熱及び保温具。
【請求項５】
飲料用容器の周壁に断熱性部材で形成し、且つ、たすきがけ状に設けた飲料容器の防熱具。
【請求項６】
飲料用容器の周壁に大きさの異なる２個の断熱性を有する凸状部を設けた飲料用容器の防熱具。
【請求項７】
飲料用容器の周壁に設けた折り曲げ自在、且つ、回転自在な把手形状の飲料用容器の防熱具。
【請求項８】
表面に凹凸部を設けることで滑り止め効果を付加した請求項５乃至７記載の防熱具。
【考案の詳細な説明】
【技術分野】
【０００１】
本考案はコーヒーやジュース等の飲料が充填される缶やペットボトルといった飲料用容器の防熱具及び保温具に関し、より詳しくは暖かい飲料が充填されている飲料用容器を手で持った際に熱く感じることを防止するための防熱具や、飲料が冷めたりあるいは暖まってしまうことを可及的に遅らせることが可能な保温具に関する。
【背景技術】
【０００２】
暖かい飲料が充填された缶やペットボトルといった飲料用容器を自動販売機等で購入した際、容器が熱くタブ操作で飲み口を設けたりキャップを開栓することが困難なことが多い。
【０００３】
係る不都合を回避するため様々な発明がなされている。例えば特開２００３−８１２６７号公報記載の発明は、缶本体の胴部に発泡層を有するシートからなる断熱性ラベルを略全周に亘って装着するものである。また、特開２００２−３３７８８２号公報記載の発明は飲料用容器に把手を設けて成るものである。
【特許文献１】特開２００３−８１２６７号公報
【特許文献２】特開２００２−３３７８８２号公報
【考案の開示】
【考案が解決しようとする課題】
【０００４】
上述のように本考案は暖かい飲料が充填された缶やペットボトルといった飲料用容器を手に持った際に、熱く感じることを防止することが可能な飲料用容器の防熱具及び充填された暖かい飲料が冷めたりあるいは冷たい飲料が暖まってしまうことを可及的に遅らせることが可能な保温具を提供することを目的とする。
【課題を解決するための手段】
【０００５】
以下、上記課題を解決するための手段及び当該手段の有する作用を図面を参照しながら述べる。
【０００６】
図１は請求項１記載の防熱具を設けた飲料用容器の斜視図である。請求項１記載の考案は断熱性部材で形成した環状の防熱及び保温具１０を飲料用容器７０の周壁に設けて成るものである。断熱性を有する防熱及び保温具１０を握持して飲料用容器７０の内容物を飲むことが可能となり、飲料用容器７０を手に持った際に熱く感じることを可及的に防ぐことが可能となるのである。また、図２や図１６に示すように防熱及び保温具１０を太幅に設けることで防熱効果のみならず保温効果を付加することが可能となるものである。
【０００７】
図５は請求項２記載の防熱及び保温具を設けた飲料用容器の平面図である。環状に設けた防熱及び保温具２０を開閉自在に設けてある。これにより防熱及び保温具を飲料用容器７０から着脱することが可能となり、ゴミとして廃棄する際に分別収集が可能となるのである。むろん断熱性を有する防熱及び保温具２０を握持して飲料用容器７０の内容物を飲むことが可能であり、飲料用容器７０を手に持った際に熱く感じることを可及的に防ぐことが可能となるものである。また、防熱及び保温具２０を太幅に設ければ防熱効果のみならず保温効果を付加することが可能となるものである。
【０００８】
図６は請求項３記載の防熱及び保温具を設けた飲料用容器の正面図であり、図７は請求項３記載の防熱及び保温具を設けた飲料用容器を左側面側から見た斜視図である。請求項３記載の考案は断熱性を有する環状の防熱及び保温具３０を飲料用容器７０の周壁に設けて成るものである。断熱性を有する防熱及び保温具３０を握持して飲料用容器７０の内容物を飲むことが可能となり、飲料用容器７０を手に持った際に熱く感じることを可及的に防ぐことが可能となるのである。また、防熱及び保温具３０を太幅に設ければ防熱効果のみならず保温効果を付加することが可能となるものである。また、防熱及び保温具３０は図７に示すように側壁部の長さに長部３１と短部３２を設けてある。具体的には飲料用容器７０の飲口７１側と同じ側の側壁が短部３２となり、反対側が長部３１となっている。これは飲口７１から飲む際に、通常親指が短部３２を他の指が長部３１を握持することになるからである。つまり持ち易さを考慮したものである。
【０００９】
請求項４記載の防熱及び保温具では防熱及び保温具の表面に凹凸部を設けてある。これにより手に持った際に滑ることを防止することが可能となるのである。  図８は請求項５記載の防熱具を設けた飲料用容器の正面図であり、図９は同右側面図である（尚、背面図は正面図と同一に表れ、左側面図は右側面図と同一に表れるものである。）。請求項５記載の考案は断熱性部材で形成したたすきがけ状の防熱具４０を飲料用容器７０の周壁に設けて成るものである。断熱性を有する防熱具４０を握持して飲料用容器７０の内容物を飲むことが可能となり、飲料用容器７０を手に持った際に熱く感じることを可及的に防ぐことが可能となるのである。たすきがけ状に設けたのは、持ち易さを増すため及びデザイン状の理由による。
【００１０】
図１０は請求項６記載の防熱具を設けた飲料用容器の正面図であり、図１１は同平面図であり、図１２は請求項６記載の防熱具を設けた飲料用容器を左側面側から見た斜視図である。請求項６記載の考案は断熱性部材で形成した大きさの異なる２個の凸状部たる防熱具５０、防熱具５１を飲料用容器７０の周壁に設けて成るものである。断熱性を有する防熱具５０、防熱具５１を握持して飲料用容器７０の内容物を飲むことが可能となり、飲料用容器７０を手に持った際に熱く感じることを可及的に防ぐことが可能となるのである。飲料用容器７０に設けた飲口７１と同じ側の周壁に設けた防熱具５１は小型であり、反対側の周壁に設けた防熱具は大型なものである。これは飲口７１から飲む際に、通常親指が小型の防熱具５１を他の指が大型の防熱具５０を握持することになるからである。つまり持ち易さを考慮したものである。
【００１１】
図１３は請求項７記載の防熱具を設けた飲料用容器の正面図であり、図１４は同平面図であり、図１５は同斜視図である。請求項７記載の考案は断熱性を有する把手形状の防熱具６０を飲料用容器７０の周壁に設けて成るものである。断熱性を有する防熱具６０を握持して飲料用容器７０の内容物を飲むことが可能となり、飲料用容器７０を手に持った際に熱く感じることを可及的に防ぐことが可能となるのである。また、防熱具６０は折り曲げ自在に設けてある。これは自動販売機に収納する際に防熱具６０が邪魔にならないようにするためである。飲む際に折り曲げて把手形状となすものである。更には防熱具６０は飲料用容器７０の周壁を摺動する形で回転自在に設けてある。把手形状となした際に右手でも左手でも握れるようにするためである。
【００１２】
請求項８記載の防熱具では防熱具の表面に凹凸部を設けてある。これにより手に持った際に滑ることを防止することが可能となるのである。
【考案の効果】
【００１３】
本考案は以上のように構成されていることから暖かい飲料が充填された缶やペットボトルといった飲料用容器を手に持った際に、熱く感じることを防止することが可能な飲料用容器の防熱具及び充填された暖かい飲料が冷めたりあるいは冷たい飲料が暖まってしまうことを可及的に遅らせることが可能な保温具を提供することが可能となるのである。
【００１４】
また、本考案を冷たい飲料が充填された飲料用容器に使用すれば、夏期は飲料用容器表面についた水滴で手が濡れてしまうことを防止でき、冬期は握った手が冷たく感じることを防止することができるものである。
【００１５】
また、表面に凹凸を施すことで滑りにくくすれば、握力の弱い者にとって有用な考案となる。
【００１６】
また、着色、あるいはデザインを施すことで商品価値も高まり、あるいは透明な素材で形成すれば元もとの飲料用容器７０のデザインを活かすことも可能である。
【考案を実施するための最良の形態】
【００１７】
以下、好ましい考案の実施形態につき図面を参照しながら述べる。
【００１８】
請求項１記載の防熱及び保温具１０は図１に示すように飲料用容器７０の周壁に環状に設けて成るものである。防熱及び保温具１０は図１に示すように細幅でもよいし、図２や図１６に示すように太幅に設けてもよい。また、防熱及び保温具１０の側壁は図３に示すように飲口のない底面側に向かって縮径するテーパー形状にするか、あるいは図４に示すように中央部が弯曲した形状にすることが好ましい。握持し易くするためである。また、防熱及び保温具１０は合成樹脂材やコルク材といった断熱性を有する部材で形成するものである。また、防熱及び保温具１０は飲料用容器７０に接着剤で取り付けるものである。自動販売機等に収納する際、所謂ホット状態にすると飲料用容器７０の温度が６０℃乃至６５℃になることから、係る温度下でも接着力を維持できる接着剤を使用する必要がある。当該条件を満たすものであればアクリル系やゴム系の接着剤でも構わないが、より好ましくはホットメルトやディレードタックのような感熱接着剤を用いることが好ましい。
【００１９】
請求項２記載に係る防熱及び保温具２０は図５に示すように環状に設けた防熱及び保温具２０が開閉自在に設けてある。閉状態で防熱及び保温具２０が飲料用容器７０を締め付け、防熱及び保温具２０を飲料用容器７０に固定する構造としてある。つまり接着剤により固着されていないものである。これは防熱及び保温具２０と飲料用容器７０を分別して廃棄することを可能とするためである。防熱及び保温具２０の側壁は請求項１記載の防熱具と同様に飲口のない底面側に向かって縮径するテーパー形状にするか、あるいは中央部が弯曲した形状にすることが好ましい。また、防熱及び保温具２０は合成樹脂材やコルク材といった断熱性を有する部材で形成するものである。
【００２０】
請求項３記載の防熱及び保温具３０は図７に示すように飲料用容器７０の周壁に環状に設けて成るものである。防熱及び保温具３０は図６や図７に示すように側壁部の長さに長部３１と短部３２を設けてある。具体的には飲料用容器７０の飲口７１側と同じ側の側壁が短部３２となり、反対側が長部３１となっている。防熱及び保温具３０の側壁は請求項１記載の防熱具と同様に飲口のない底面側に向かって縮径するテーパー形状にするか、あるいは中央部が弯曲した形状にすることが好ましい（図６では中央部が弯曲形状にしたものを表している）。また、防熱及び保温具３０は合成樹脂材やコルク材といった断熱性を有する部材で形成するものである。また、防熱及び保温具３０は飲料用容器７０に接着剤で取り付けるものである。請求項１記載の防熱及び保温具１０に使用するものと同様の接着剤を用いることが好ましい。
【００２１】
請求項４記載の防熱及び保温具はその表面に凹凸部が設けてある。具体的には格子状に溝を切る、あるいは小突起を表面全体に設けるといった方法が考えられる。
【００２２】
請求項５記載の防熱具４０は図８や図９に示すように飲料用容器７０の周壁にたすきがけ状に設けてある。防熱具４０の側壁は請求項１記載の防熱具と同様に飲口のない底面側に向かって縮径するテーパー形状にするか、あるいは中央部が弯曲した形状にすることが好ましい（図８及び図９では中央部が弯曲形状にしたものを表している）。また、防熱具４０は合成樹脂材やコルク材といった断熱性を有する部材で形成するものである。また、防熱具４０は飲料用容器７０に接着剤で取り付けるものである。請求項１記載の防熱及び保温具１０に使用するものと同様の接着剤を用いることが好ましい。
【００２３】
請求項６記載の防熱具５０及び防熱具５１は大きさの異なる２個の凸状部を飲料用容器７０の周壁に設けて成るものである。飲料用容器７０に設けた飲口７１と同じ側の周壁に設けた防熱具５１は小型であり、反対側の周壁に設けた防熱具は大型なものである。防熱具５０及び防熱具５１の側壁は請求項１記載の防熱具と同様に飲口のない底面側に向かって縮径するテーパー形状にするか、あるいは中央部が弯曲した形状にすることが好ましい（図１０及び図１１では中央部が弯曲形状にしたものを表している）。また、防熱具５０及び防熱具５１は合成樹脂材やコルク材といった断熱性を有する部材で形成するものである。また、防熱具５０及び防熱具５１は飲料用容器７０に接着剤で取り付けるものである。請求項１記載の防熱及び保温具１０に使用するものと同様の接着剤を用いることが好ましい。
【００２４】
請求項７記載の防熱具６０は把手形状体を飲料用容器７０の周壁に設けて成るものである。防熱具６０は折り曲げ自在な把手部６１と、飲料用容器７０の周壁に摺動する形状で回転自在な環状部６２より成るものである。把手部６１は一対設けてあり、折り曲げていない段階では飲料用容器７０の周壁に沿った形になるよう設けてある。図１４に示すように把手部６１を折り曲げ重ね合わせることで図１３に示すような把手部６１が形成されるものである。環状部６２は上下に一対設けてあり、当該環状部６２が設けてある部分に当接する飲料用容器７０の側壁は凹溝を形成してある。当該凹溝に環状部６２を嵌め込むことで環状部を回転自在にすると共に防熱具６０を飲料用容器７０に取り付けることを可能とするのである。防熱具６０は合成樹脂材やコルク材といった断熱性を有する素材で構成してもよいし、金属製の薄板で形成してもよい。金属製の薄板は熱伝導率が高いが、折り曲げて把手部を形成すれば速やかに放熱し、手で持つのに不都合ない温度まで下がるからである。
【００２５】
請求項８記載の防熱具はその表面に凹凸部が設けてある。具体的には格子状に溝を切る、あるいは小突起を表面全体に設けるといった方法が考えられる。
【図面の簡単な説明】
【００２６】
【図１】請求項１記載の防熱及び保温具を設けた飲料用容器の斜視図。
【図２】他の実施例に係る請求項１記載の防熱及び保温具を設けた飲料用容器の斜視図。
【図３】一実施例に係る請求項１記載の防熱及び保温具を設けた飲料用容器の正面図。
【図４】他の実施例に係る請求項１記載の防熱及び保温具を設けた飲料用容器の正面図。
【図５】請求項２記載の防熱及び保温具を設けた飲料用容器の平面図。
【図６】請求項３記載の防熱及び保温具を設けた飲料用容器の正面図。
【図７】請求項３記載の防熱及び保温具を設けた飲料用容器を左側面側から見た斜視図。
【図８】請求項５記載の防熱具を設けた飲料用容器の正面図。
【図９】同右側面図。
【図１０】請求項６記載の防熱具を設けた飲料用容器の正面図。
【図１１】同平面図。
【図１２】請求項６記載の防熱具を設けた飲料用容器を左側面側から見た斜視図。
【図１３】請求項７記載の防熱具を設けた飲料用容器の正面図。
【図１４】同平面図。
【図１５】同斜視図。
【図１６】請求項１記載の防熱及び保温具の一実施例を示す斜視図。
【符号の説明】
【００２７】
１０、２０、３０・・防熱及び保温具
４０、５０、６０・・防熱具  
【図１】
0003104801.tif 000003
【図２】
0003104801.tif 000004
【図３】
0003104801.tif 000005
【図４】
0003104801.tif 000006
【図５】
0003104801.tif 000007
【図６】
0003104801.tif 000008
【図７】
0003104801.tif 000009
【図８】
0003104801.tif 000010
【図９】
0003104801.tif 000011
【図１０】
0003104801.tif 000012
【図１１】
0003104801.tif 000013
【図１２】
0003104801.tif 000014
【図１３】
0003104801.tif 000015
【図１４】
0003104801.tif 000016
【図１５】
0003104801.tif 000017
【図１６】
0003104801.tif 000018